(57)【要約】      （修正有）【課題】コンクリート面や塗装面で１８０°より大きな角度を持った角部の目粗し、塗膜剥離を行うウォータージェットハンドブラストを提供する。【解決手段】ノズルヘッド１、スイベル５、飛散防止カバー７、ブラシ８、ブラシ固定金具２０、前部車輪１４、後部車輪及び車輪取付用ステー１５、グリップ１２によって構成される。ノズルヘッドの被処理面１３に対向する面はＶ形の形状で、複数のウォータージェット噴射口を持ち、ノズルヘッドはスイベルに取り付けられ、ウォータージェットを噴射する反力で回転する。飛散防止カバーは回転するノズルヘッドを覆い、その縁は被処理面の角部に合わせてＶ形にカットされた形状で、さらにその縁に沿ってブラシ固定金具を用いてブラシを取り付けて被処理面との間の隙間をふさぐ。【選択図】図３
0003174974.tif 000002
【実用新案登録請求の範囲】
【請求項１】
コンクリート面や塗装面の１８０°より大きな角部（凹の角部）の目粗し、塗装剥離などの作業を行うためのウォータージェットを使ったハンドブラストであって、
ノズルヘッド、スイベル、飛散防止カバー、ブラシ、ブラシ固定金具、前部車輪、後部車輪及び車輪取付用ステーによって構成され、
前記ノズルヘッドの被処理面（前記コンクリート面、塗装面）に対向する面は被処理面の角部に合わせて斜め（Ｖ形）になっており、
前記ノズルヘッドは複数のウォータージェット噴射口を持ち、スイベルを介して取り付けられウォータージェットを噴射する反力で回転し、
前記飛散防止カバーは回転するノズルヘッドを覆う円筒形であるが、被処理面に対向する面は開放し、その縁は角部に合わせて斜め（Ｖ形）にカットされ、
縁に沿ってブラシ固定金具を用いてブラシを取り付けて被処理面との間の隙間をふさぎ、
前記飛散防止カバーには吸引ホースを付けポンプで作業排水を吸引し、
前記飛散防止カバーにステーを介して前部車輪、後部車輪を付け、角部に沿って移動可能としたウォータージェットハンドブラスト。
【請求項２】
請求項１において、
ブラシはその基部に可撓性の素材を用いて飛散防止カバーの縁に沿って湾曲させて取り付けることが可能であるとともに、ブラシ固定金具の取付穴を長穴にして位置調整を可能とし
車輪取付用ステーも取付穴を長穴にして位置、角度の調整を可能とすることにより、
異なる角度の角部でも使用可能としたウォータージェットハンドブラスト。
【考案の詳細な説明】
【技術分野】
【０００１】  この考案はウォータージェットを用いてコンクリート面の目粗し、塗装面の塗膜剥離等を行うためのハンドブラストに関するものである。
【背景技術】
【０００２】  特許文献１は重曹の粒子をブラスト材とし高圧水または高圧エアーを使って吹き付けることにより、コンクリート・石材・金属板等の表面の研掃・洗浄・目粗し・塗膜剥離等を行う方法について述べている。【０００３】  特許文献２ではハンドブラストを用いて水・剥離片を吸引しながら塗膜を剥離する装置、方法について述べている。
【先行技術文献】
【特許文献】
【０００４】
【特許文献１】特許公開２０００−３４３４３４  「ブラスト工法」
【特許文献２】登録実用新案  第３１５８１９９号  「ウォータージェットによる塗装の剥離工法」
【考案の概要】
【考案が解決しようとする課題】
【０００５】  コンクリート面の目粗し、塗装面の塗膜剥離等の処理を行うには、ウォータージェットのハンドガン、ハンドブラストを用いる方法がある。平面の処理を行うハンドブラストは特許文献２にも提示されている。
平面用のハンドブラストの例を図１（ａ）、（ｂ）に示す。図１（ａ）は被処理面（コンクリート面あるいは塗装面）から、図１（ｂ）は側面から見た図である。
ノズルヘッド１は複数の噴射口２を持ち、斜めにウォータージェット３を噴射する。ノズルヘッド１はノズルヘッド回転用スイベル５に取り付けられ、ウォータージェットを噴射しながらその反力で回転する。ノズルヘッド１を囲うように飛散防止カバー７が付き、さらに吸引ホース９を付け吸引ポンプで吸引することによって作業排水（コンクリート片あるいは塗膜片を含んだウォータージェットの水）の飛散を防ぐ。
平面を処理している場合は良いが、図２のように１８０°より大きな角部（凹の角部）を処理しようとすると被処理面１３との間に隙間ができ、そこから作業排水が広範囲に飛散する。飛散した作業排水を回収・清掃する作業は、手間のかかる作業である。
飛散防止カバー７が浮き上がらないぎりぎりの所で止めた場合は、中央から左右に幅数ｃｍずつの処理されない部分が残る。その部分はハンドガン等を使って処理するが、その際にも作業排水が飛散し、回収・清掃に手間がかっている。
そこで作業排水を飛散させないで、１８０°より大きな角部（凹の角部）の目粗しや塗膜剥離を行うハンドブラストを提供する。
【課題を解決するための手段】
【０００６】  本考案の凹角部用ウォータージェットハンドブラストを図３、図４に示す。
ノズルヘッド１の被処理面１３に対向する面は被処理面１３に合わせて斜めに角度が付けられており、斜めに角度を持たせてウォータージェット３を噴射する。ノズルヘッド１はスイベル５に取りつけられ、ウォータージェット３の反力で回転する。
飛散防止カバー７の被処理面１３に対向する縁も、被処理面１３に合わせてＶ型にカットされた形状で被処理面１３との隙間をふさぐためブラシ８が取り付けられている。
また飛散防止カバー７には吸引ホース９を繋ぎ吸引ポンプで作業排水を吸引する。
さらにステー１５、ブラケット１８を介して前部車輪１４、後部車輪１７が取り付けられ、ハンドブラストを角に沿って移動させることが可能である。【０００７】  異なる角度の角部があった場合、ハンドブラストをその角度に合わせるようにする。
前部車輪１４は図５に示すように、長穴を持ったステー１５を介して取り付け、位置、角度の調整が可能である。
後部車輪１７については図６に示す。外周の断面が円形であり、角度θが変わっても位置の変化はほとんど無い。そのため後部車輪１７の調整は不要である。
カバー７の縁に付けられているブラシ８は基部（毛の根元の部分）が可撓性の樹脂等の素材を用い、ブラシ固定金具２０の取付穴を長穴にして上下に位置を調整する。（図７）
【考案の効果】
【０００８】  角部を構成する２つの面を同時に処理するため、ハンドガンに比べはるかに効率良く角部の目粗しあるいは塗膜剥離の処理を行うことができる。【０００９】  水・コンクリート片の飛散が無いため作業後の清掃が簡単に済み、作業全体の効率化に繋がる。
【図面の簡単な説明】
【００１０】
【図１】平面処理用ハンドブラスト
【図２】平面用ハンドブラストを凹角部に当てた場合の図
【図３】凹角部用ハンドブラスト（上から見た状態）
【図４】凹角部用ハンドブラスト（作業者側及び側面から見た状態）
【図５】前部車輪の調整機構
【図６】後部車輪
【図７】ブラシ取付、調整方法
【考案を実施するための形態】
【実施例】
【００１１】  本考案では被処理面の角部が１８０°より大きな場合（角部が凹の場合）に用いるハンドブラストを提供する。【００１２】  本考案の凹角部用ウォータージェットハンドブラストを図３、図４に示す。
図３は角部の上方から見た状態を示す。図３では飛散防止カバー７は断面で描かれている。またブラシ８は図では両端のみであるが、実際はカバー７の縁全周にわたっている。さらに図３では前部車輪１４はカバー７内を示すため実際の位置より外側に描かれている。
図４（ａ）は作業者側から、図４（ｂ）は側面からから見た状態を表す。図４（ａ）において右側のグリップ１２は、その下の前部車輪１４などを表すため外形のみを描いている。
被処理面１３と対向するノズルヘッド１の面はＶ形（被処理  面１３に合わせた形状）になっており、ウォータージェット３は角度を持たせて噴射する。ノズルヘッド１はスイベル５に取りつけられ、ウォータージェット３の反力で回転しながら目粗し・塗膜剥離等の処理を行う。（噴射方向は、噴射口２が回転によって描く円の接線方向に傾いているため、噴射の反力がノズルヘッド１の回転力となる。）
飛散防止カバー７についても被処理面１３と対向する部分がＶ形にカットされ、縁には被処理面１３との隙間をふさぐためブラシ８が付いている。ブラシ８はブラシ固定金具２０で全周にわたって取付ける。
また飛散防止カバー７には吸引ホース９を繋ぎ吸引ポンプで作業排水を吸引する。
さらにステー１５、ブラケット１８を介して前部車輪１４、後部車輪１７を付け、角部に沿ってスムーズな移動を可能にする。【００１３】  本考案のハンドブラストは角度θの異なる角部があった場合にも、その角度に合わせて調整し、使用することが可能である。以下その方法について述べる。【００１４】  ノズルヘッド１は被処理面１３と対向する面が被処理面１３に合せて斜めになっている。実際の作業では被処理面１３の角度θは２２５°を中心に±１５°程度（θ＝２１０°〜２４０°）の範囲で調整ができればよい。本考案のハンドブラストで処理する範囲は中央から左右に数ｃｍずつの幅であり、前記角度範囲では、ウォータージェット３のスタンドオフ距離（噴射口から被処理面までの距離）は２２５°の場合と比べ±１ｃｍ程度の変化しかない。ノズルヘッド１はその大きさ、構造から角度変更機構を組込むのは難しいが、スタンドオフ距離の変化が少ないためそのまま使用可能である。【００１５】  前部車輪１４は角度θが変わっても同じ状態で接地するよう、位置、角度を調整できるようにする。前部車輪１４の調整方法を図５に示す。
前部車輪は取付台１６にステー１５を介して取付ける。ステー１５は長穴が開いており被処理面１３に合せて位置・角度を調整し、ボルトによって固定する。長穴の目盛りは、左右を均等にするためである。【００１６】  後部車輪１７について図６に示す。
外周の断面形状が円形で幅の狭い車輪を使うことにより、角度θが変わっても位置はほとんど変化せず、調整は不要である。【００１７】  飛散防止カバー７はブラシ８の位置調整により角度θが変わってもそのまま使うことができる。
図７にブラシ８の取付方法を示す。
ブラシ８は基部（毛を植えてある根元の部分）が可撓性の樹脂等の素材で、カバー７の縁に沿って湾曲させて取り付けることが可能なものを用いる。ブラシ８はブラシ固定金具２０を用いてカバーの周囲にネジ止めする。図７では両端のみ描かれているが（図３，４においても）、ブラシ固定金具２０はカバー７の全周にわたって必要個数が取り付けられている。
ブラシ固定金具２０の取付穴を長穴にすることにより、角度θが変わった場合でも位置を調整して取り付けることができる。また、ブラシ８の毛先が磨耗した場合の調整も可能である。
【産業上の利用可能性】
【００１８】  角部の目粗し・塗膜剥離の処理をハンドガンで行う場合に比べ、短時間で行うことができるとともに、終了後の清掃作業の手間も減らすことができ作業全体の効率化に大きく貢献する。したがって本考案のハンドブラストは広く利用される。
【符号の説明】
【００１９】  １…ノズルヘッド
２…噴射口
３…ウォータージェット
４…回転方向
５…スイベル（ノズルヘッド回転用）
６…高圧水ホース
７…飛散防止カバー
８…ブラシ
９…吸引ホース（吸引パイプ）
１０…吸引方向
１１…ボールキャスター
１２…グリップ
１３…被処理面（コンクリート面、塗装面）
１４…前部車輪
１５…前部車輪用ステー
１６…前部車輪取付台
１７…後部車輪
１８…後部車輪用ブラケット
１９…後部車輪用スペーサー（カラー）
２０…ブラシ固定金具
θ…被処理面の角度
【図１】
0003174974.tif 000003
【図２】
0003174974.tif 000004
【図３】
0003174974.tif 000005
【図４】
0003174974.tif 000006
【図５】
0003174974.tif 000007
【図６】
0003174974.tif 000008
【図７】
0003174974.tif 000009
【手続補正書】
【提出日】平成24年1月27日(2012.1.27)
【手続補正１】
【補正対象書類名】実用新案登録請求の範囲
【補正対象項目名】全文
【補正方法】変更
【補正の内容】
【実用新案登録請求の範囲】
【請求項１】
コンクリート面や塗装面の凹形状の角部の目粗し、塗装剥離などの作業を行うためのウォータージェットを用いたハンドブラストであって、
ノズルヘッド、スイベル、飛散防止カバー、ブラシ、ブラシ固定金具、前部車輪、後部車輪及び車輪取付用ステー、グリップによって構成され、
前記ノズルヘッドの被処理面に対向する面は、被処理面の角部と同じ角度で切れ上がったＶ形の形状で、複数のウォータージェット噴射口を持ち、
前記ノズルヘッドはスイベルを介して取り付けられ、ウォータージェットを噴射する反力で回転し、
前記飛散防止カバーは回転するノズルヘッドを覆う円筒形であるが、被処理面に対向する面は開放し、その縁は被処理面の角部に合わせてＶ形にカットされた形状で、さらにその縁に沿ってブラシ固定金具を用いてブラシを取り付けて被処理面との間の隙間をふさぎ、
前記飛散防止カバーには吸引ホースを付けポンプで作業排水を吸引し、
前記飛散防止カバーにステーを介して前部車輪、後部車輪を付け、角部に沿って移動可能としたウォータージェットハンドブラスト。
【請求項２】
請求項１に記載のウォータージェットハンドブラストにおいて、車輪取付用ステー、ブラシ固定金具の穴を長穴にすることによって、車輪、ブラシの位置を調整し、異なる角度の角部でも使用可能としたウォータージェットハンドブラスト。